(57)【要約】      （修正有）【課題】撮影機器を支える過度の力をかけ続ける必要がなく、撮影者は無理な姿勢を強いられず、撮影機器の水平垂直を容易にとることができる撮影機器吊り下げ設置装置を提供する。【解決手段】動被写体等の撮影時、三脚や一脚等の支持台７０の上部に「Ｌ」字型の第１の部材１０と「Ｌ」字型の第２の部材２０を「コ」字型に組み立て、自由雲台等５０を介してレンズに三脚座がある撮影機器６０を吊り下げるように取り付ける。また、フラッシュ装置をレンズの上方に設置した撮影時、第１の部材１０と第２の部材２０を「ヒ」字型に組み立て、レンズに三脚座がある撮影機器６０とフラッシュ装置等および固定補助部品を取り付ける。【選択図】図１
0003152037.tif 000002
【実用新案登録請求の範囲】
【請求項１】
基部と延出部とが垂直に交差する「Ｌ」字型の第１の部材と、基部と延出部とが垂直に交差する「Ｌ」字型の第２の部材と、前記第１の部材の基部に設けられた２個の第１および第２のネジ穴と、前記第２の部材の基部に設けられた２個の第３および第４のネジ穴と、前記第１のネジ穴と前記第３または第４のネジ穴に螺合する第１のネジと、前記第２のネジ穴と前記第４または第３のネジ穴に螺合する第２のネジと、前記第１の部材の前記延出部に設けられた支持台の雲台取り付けネジに螺合するためまたはレンズの三脚座を取り付けるための第５のネジ穴と、前記第５のネジ穴とレンズの三脚座に螺合するための第３のネジと、前記第２の部材の前記延出部に設けられた自由雲台等またはオフカメラシューを取り付けるための第６のネジ穴と、前記第６のネジ穴と自由雲台等またはオフカメラシューに螺合するための前記第３または第４のネジを有することを特徴とする撮影機器吊り下げ設置装置兼フラッシュ装置上方設置装置。
【請求項２】
「コ」字型に組み立てた前記第１および第２の部材は自由雲台等を介して取り付けられる撮影機器を吊り下げる構造を特徴とする請求項１記載の撮影機器吊り下げ設置装置兼フラッシュ装置上方設置装置。
【請求項３】
前記第１および第２の部材はオフカメラシューおよびオフカメラシューに取り付けられるフラッシュ装置を外力から保護する構造を特徴とする請求項１記載の撮影機器吊り下げ設置装置兼フラッシュ装置上方設置装置。
【請求項４】
前記第１の部材の前記延出部にプレート等の固定補助部品を有することを特徴とする請求項１記載の撮影機器吊り下げ設置装置兼フラッシュ装置上方設置装置。
【請求項５】
前記レンズの三脚座が前記第１の部材の前記延出部平面上で回転するのを前記固定補助部品が防止する構造を特徴とする請求項１記載の撮影機器吊り下げ設置装置兼フラッシュ装置上方設置装置。
【考案の詳細な説明】
【技術分野】
【０００１】  本考案は一眼レフデジタルカメラ本体や一眼レフフィルムカメラ本体等に三脚座付きレンズを取り付けた撮影機器と、三脚や一脚等の支持台および自由雲台等またはフラッシュ装置を使用する際に用いる装置に関するものである。
【背景技術】
【０００２】  動被写体等の撮影時、撮影機器の向きをかえる可動性を得るべく、従来は三脚や一脚等の支持台に自由雲台等を介して撮影機器を載せるように設置していた。また、フラッシュ装置を使用した撮影時、被写体の影が背景に大きく写り込んだ芸術性に欠ける写真となる障害を避けるためにフラッシュ装置をレンズの上方に設置することが求められ、縦位置撮影と横位置撮影とをかえる度に従来はカメラ本体とフラッシュ装置とを固定したブラケット等の装置の一部を移動や屈曲等変形させることでフラッシュ装置の位置をかえていた。
【考案の概要】
【考案が解決しようとする課題】
【０００３】  動被写体等の撮影時、三脚や一脚等の支持台の上部に取り付けた自由雲台等にカメラ本体と三脚座付きレンズの撮影機器を載せるように設置した場合、撮影機器の向きをかえる可動性を求めるべく自由雲台等の締め付けネジを緩めて撮影するが、重力の影響で撮影機器は自由雲台等を軸に回転するように落下し破損する恐れがあり、撮影者は手や頭部等で過度の力をかけ続けなければならない。水平面より上方のチルトをすると上方を撮影するほどカメラのファインダーは下方へ下がり撮影者は無理な姿勢を強いられる。大きくパンをすると撮影者は無理な姿勢をしないと撮影不能になるか撮影機器が傾き写真の構図において水平垂直がとれなくなる。【０００４】  フラッシュ撮影時、カメラ本体と三脚座付きレンズの撮影機器にオフカメラシューを介してフラッシュ装置を取り付けた場合、被写体の影が背景に大きく写り込んだ芸術性に欠ける写真となる障害を避けるべくブラケット等の装置を用いてフラッシュ装置をレンズの上方に設置することが求められ、縦位置撮影と横位置撮影とをかえる度にその障害を受け入れるかカメラ本体とフラッシュ装置とを固定したブラケット等の装置を移動や屈曲等変形させることでフラッシュ装置の位置をかえなければならならない。レンズの三脚座はカメラ本体の三脚座に比べて接地面が小さいため充分な固定ができない。また、外付けしたフラッシュ装置は外力に弱く破損しやすい。これらの欠点を軽量かつ安価に解決しようとするものである。
【課題を解決するための手段】
【０００５】  本考案は基部と延出部とが垂直に交差する「Ｌ」字型の第１の部材と、基部と延出部とが垂直に交差する「Ｌ」字型の第２の部材と、前記第１の部材の基部に設けられた２個の第１および第２のネジ穴と、前記第２の部材の基部に設けられた２個の第３および第４のネジ穴と、前記第１のネジ穴と前記第３または第４のネジ穴に螺合する第１のネジと、前記第２のネジ穴と前記第４または第３のネジ穴に螺合する第２のネジと、前記第１の部材の前記延出部に設けられた支持台の雲台取り付けネジに螺合するためまたはレンズの三脚座を取り付けるための第５のネジ穴と、前記第５のネジ穴とレンズの三脚座に螺合するための第３のネジと、前記第２の部材の前記延出部に設けられた自由雲台等またはオフカメラシューを取り付けるための第６のネジ穴と、前記第６のネジ穴と自由雲台等またはオフカメラシューに螺合するための第４ネジを有し、撮影機器設置装置として使用時に自由雲台等を介して撮影機器を吊り下げ、フラッシュ装置設置装置として使用時に前記第１および第２の部材はオフカメラシューおよびオフカメラシューに取り付けられるフラッシュ装置を外力から保護し、前記第１の部材の前記延出部にプレート等の固定補助部品を有することでレンズの三脚座が前記第１の部材の前記延出部平面上で回転するのを固定補助部品が防止することにより問題を解決している。
【考案の効果】
【０００６】  動被写体等の撮影時、カメラ本体および三脚座付きレンズの撮影機器と三脚や一脚等の支持台と自由雲台等を用いるとき、本考案の撮影機器吊り下げ設置装置として使用することで、撮影機器を支える過度の力をかけ続ける必要がなく、撮影者は無理な姿勢を強いられず、撮影機器の水平垂直を容易にとることができ、可動性を得る効果がある。【０００７】  フラッシュ装置を使用した撮影時、カメラ本体および三脚座付きレンズの撮影機器とフラッシュ装置とオフカメラシューを用いるとき、本考案のフラッシュ装置上方設置装置として使用することで、縦位置撮影と横位置撮影とをかえてもフラッシュ装置をレンズの上方に保ち、且つその操作は俊敏に行うことができ、フラッシュ装置およびオフカメラシューを外力から保護する効果がある。これら複数の撮影場面に対応し軽量な装置で安価に入手できる効果がある。
【考案を実施するための形態】
【０００８】  撮影機器吊り下げ設置装置として使用する場合、基部と延出部とが垂直に交差する「Ｌ」字型プレート２個を用いて双方の基部を固定ネジ２個で螺合し「コ」字型に組み立てる。組み立てたプレート２個の延出部で下方に位置する延出部には三脚や一脚等の支持台を下方より雲台取り付けネジで取り付ける。他方である上方に位置する延出部には下方より自由雲台等を固定ネジで取り付ける。カメラ本体に三脚座付きレンズを取り付けた撮影機器のレンズの三脚座を自由雲台等のカメラネジに撮影機器が吊り下がるように取り付ける。
【０００９】  フラッシュ装置上方設置装置として使用する場合、前記の基部と延出部とが垂直に交差する「Ｌ」字型プレート２個を用いて双方の基部を固定ネジ２個で螺合し「ヒ」字型に組み立てる。組み立てたプレート２個の延出部で下方に位置する延出部には上方よりカメラ本体に三脚座付きレンズを取り付けた撮影機器のレンズの三脚座を固定ネジで取り付ける。カメラ本体にオフセットシューを介してフラッシュ装置を取り付ける。他方である上方に位置する延出部には上方よりオフセットシューを固定ネジで取り付ける。撮影機器を取り付けた前記「Ｌ」字型プレートの延出部にプレート等の固定補助部品を撮影機器のレンズの三脚座に接触させつつ装着する。撮影時に縦位置撮影と横位置撮影とをかえる際は、撮影機器を取り付けた「Ｌ」字型プレートおよび撮影機器のレンズの三脚座を手や支持台等で固定したままカメラ本体およびレンズを回転させ、フラッシュ装置をレンズの上方に保つ。
【実施例】
【００１０】  撮影機器吊り下げ設置装置として使用する場合、図１と図２および図３に示すように使用する機器器具は、基部と延出部とが垂直に交差し、内側には滑り止めの基部コルク板１５および延出部コルク板１６が設けられ、基部にはネジ穴１１およびネジ穴１２が設けられ、延出部には三脚座や一脚等の支持台７０の雲台取り付けネジ７１に螺合するためまたは撮影機器６０のレンズの三脚座６３を取り付けるためのネジ穴１３を有し、さらに延出部には長手方向に固定補助部品９０の下面の突起９２を嵌め込むための長孔１４を有する長「Ｌ」字型プレート１０、基部と延出部とが垂直に交差し、延出部の内側には滑り止めの基部コルク板２４が設けられ、基部にはネジ穴２１およびネジ穴２２を有し、延出部には自由雲台等５０を取り付けるためまたはオフカメラシュー８２を取り付けるためのネジ穴２３を有する短「Ｌ」字型プレート２０、自由雲台等５０を固定するためまたは撮影機器６０をレンズの三脚座６３で固定するための仮止めネジ３１および本締めネジ３２を有する大型固定ネジ３０、長「Ｌ」字型プレート１０と短「Ｌ」字型プレート２０を組み立て固定するための固定ネジ４１および固定ネジ４２、雲台取り付けネジ７１を有する三脚や一脚等の支持台７０、レンズの三脚座を取り付けるためのカメラネジ５１を有する自由雲台等５０、カメラ本体６１に取り付けた三脚座付きレンズ６２の撮影機器６０である。【００１１】  長「Ｌ」字型プレート１０のネジ穴１１に長「Ｌ」字型プレート１０の外側の面から固定ネジ４１をねじ込んで基部コルク板１５の面へ突き出し、長「Ｌ」字型プレート１０の基部のネジ穴１２に長「Ｌ」字型プレート１０の外側の面から固定ネジ４２をねじ込んで基部コルク板１５の面へ突き出す。短「Ｌ」字型プレート２０のネジ穴２１に短「Ｌ」字型プレート２０の外側の面から固定ネジ４２をねじ込み、短「Ｌ」字型プレート２０のネジ穴２２に短「Ｌ」字型プレート２０の外側の面から固定ネジ４１をねじ込んで、長「Ｌ」字型プレート１０と短「Ｌ」字型プレート２０とを組み立て「コ」字型に固定する。長「Ｌ」字型プレート１０の延出部のネジ穴１３に三脚および一脚等の支持台７０の雲台取り付けネジ７１を長「Ｌ」字型プレート１０の外側の面から螺合する。短「Ｌ」字型プレート２０のネジ穴２３に短「Ｌ」字型プレート２０の外側の面から大型固定ネジ３０をねじ込んでコルク板２４の面へ突き出す。自由雲台等５０を短「Ｌ」字型プレート２０のコルク板２４の面に大型固定ネジ３０の仮止めネジ３１で仮止めし、本締めネジ３２で固定する。短「Ｌ」字型プレート２０の延出部に取り付けた自由雲台等５０のカメラネジ５１を撮影機器６０のレンズの三脚座６３に螺合する。【００１２】  フラッシュ装置上方設置装置として使用する場合、図１と図２および図３に示すように使用する機器器具は、前記長「Ｌ」字型プレート１０、前記短「Ｌ」字型プレート２０、前記大型固定ネジ３０、前記固定ネジ４１および前記固定ネジ４２、プレートにネジ穴９１とプレートの下面にネジ穴９１を除く長手方向中央上に突起９２が設けられた固定補助部品９０、固定補助部品９０を長「Ｌ」字型プレート１０の長孔１４に固定するための固定ネジ４４、フラッシュ装置８１、カメラ本体６１とフラッシュ装置８１とを接続するオフカメラシュー８２、オフカメラシュー８２を前記短「Ｌ」字型プレート２０のネジ穴２３に固定するための固定ネジ４３、前記撮影機器６０である。【００１３】  長「Ｌ」字型プレート１０のネジ穴１１に長「Ｌ」字型プレート１０の外側の面から固定ネジ４１をねじ込んで基部コルク板１５の面へ突き出し、長「Ｌ」字型プレート１０の基部のネジ穴１２に長「Ｌ」字型プレート１０の外側の面から固定ネジ４２をねじ込んで基部コルク板１５の面へ突き出す。短「Ｌ」字型プレート２０のネジ穴２２に短「Ｌ」字型プレート２０の外側の面から固定ネジ４２をねじ込み、短「Ｌ」字型プレート２０のネジ穴２１に短「Ｌ」字型プレート２０の外側の面から固定ネジ４１をねじ込んで長「Ｌ」字型プレート１０と短「Ｌ」字型プレート２０とを組み立て「ヒ」字型に固定する。長「Ｌ」字型プレート１０のネジ穴１３に大型固定ネジ３０を長「Ｌ」字型プレート１０の外側の面からねじ込んで延出部コルク板１６の面へ突き出す。撮影機器６０のレンズの三脚座６３を長「Ｌ」字型プレート１０の延出部コルク板１６の面に大型固定ネジ３０の仮止めネジ３１で仮止めし、本締めネジ３２で固定する。固定補助部品９０の下面の突起９２を長「Ｌ」字型プレート１０の延出部コルク板１６の面より長孔１４に嵌め込む。固定補助部品９０を長「Ｌ」字型プレート１０の長孔１４に沿ってスライドさせ、レンズの三脚座６３に接触させつつ長「Ｌ」字型プレート１０の長孔１４に固定ネジ４４で螺合する。
撮影機器６０のカメラ本体６１にオフカメラシュー８２を介してフラッシュ装置８１を接続する。短「Ｌ」字型プレート２０のネジ穴２３に短「Ｌ」字型プレート２０の外側の面から固定ネジ４３をねじ込んで延出部コルク板２４の面へ突き出す。オフカメラシュー８２を短「Ｌ」字型プレート２０の延出部コルク板２４の面に固定ネジ４３で螺合する。撮影時に縦位置撮影と横位置撮影とをかえる際は、撮影機器６０を取り付けた長「Ｌ」字型プレート１０および撮影機器６０のレンズの三脚座６３を手や支持台等で固定したままカメラ本体６１および三脚座付きレンズ６２（レンズの三脚座６３を除く）を回転させ、フラッシュ装置８１を三脚座付きレンズ６２の上方に保つ。
【図面の簡単な説明】
【００１４】
【図１】本考案の撮影機器吊り下げ設置装置組立時を示す等角投影図である。（ただし説明のため大型固定ネジおよび固定ネジは離脱状態）
【図２】本考案のフラッシュ装置上方設置装置組立時を示す等角投影図である。
【図３】固定補助部品を上下反転させ下面を示す等角投影図である。
【符号の説明】
【００１５】１０長「Ｌ」字型プレート（第１の部材）
１１ネジ穴（第１のネジ穴）
１２ネジ穴（第２のネジ穴）
１３ネジ穴（第５のネジ穴）
１４長孔
１５基部コルク板
１６延出部コルク板
２０短「Ｌ」字型プレート（第２の部材）
２１ネジ穴（第３のネジ穴）
２２ネジ穴（第４のネジ穴）
２３ネジ穴（第６のネジ穴）
２４延出部コルク板
３０大型固定ネジ（第の３ネジ）
３１仮止めネジ
３２本締めネジ
４１固定ネジ（第の１ネジ）
４２固定ネジ（第の２ネジ）
４３固定ネジ（第の４ネジ）
４４固定ネジ
５０自由雲台等
５１カメラネジ
６０撮影機器
６１カメラ本体
６２三脚座付きレンズ
６３三脚座
７０三脚や一脚等の支持台
７１雲台取り付けネジ
８１フラッシュ装置
８２オフカメラシュー
９０固定補助部品
９１ネジ穴
９２突起
【図１】
0003152037.tif 000003
【図２】
0003152037.tif 000004
【図３】
0003152037.tif 000005